(57)【要約】【課題】予め雷雨や台風の予報情報を集めて停電となる危険性を予測し、事前に発電装置を起動して商用電源から切り換えることによりＵＰＳを必要としないか或いは小容量のＵＰＳで停電に対処すること。【解決手段】電力供給制御対象のコンピュータ２１に供給する電力を制御する電力供給制御装置１０と、発電を行う発電装置１４と、コンピュータ２１に供給する電力を商用電源とするか発電装置１４とするかを切り換える切換装置１５とを含み、電力制御部１１は、情報提供システム２２からインターネット２９を介して停電の発生予測の基となる予報情報を取得し、予報情報に基づいて予め決められた時間以内に停電となる危険性が大きい予測すると発電装置１４を起動して発電を開始させ、発電装置１４の出力が安定したことを確認すると切換装置１５に対して商用電源から発電装置へ切り換えるよう指示する。【選択図】      図１
2004355219.tif 000002
【特許請求の範囲】
【請求項１】
電力供給制御対象の情報処理装置に供給する電力を制御する電力供給制御装置と、発電を行う発電装置と、情報処理装置に供給する電力を商用電源とするか発電装置とするかを切り換える切換装置とを含む電力供給制御システムであって、
前記電力供給制御装置は、通信により停電の発生予測の基となる予報情報を取得し、予報情報に基づいて予め決められた時間以内に停電となる危険性が大きい予測すると発電装置を起動して発電を開始させ、発電装置の出力が安定したことを確認すると切換装置に対して商用電源から発電装置へ切り換えるよう指示することを特徴とする電力供給制御システム。
【請求項２】
電力供給制御対象の情報処理装置に供給する電力を制御する電力供給制御装置と、発電を行う発電装置と、情報処理装置に供給する電力を商用電源とするか発電装置とするかを切り換える切換装置とを含む電力供給制御システムであって、
前記電力供給制御装置は、通信により停電の発生予測の基となる予報情報を取得し、予報情報に基づいて予め決められた時間以内に停電となる危険性が大きいと予測すると発電装置を起動して発電を開始させ、
発電装置の出力が安定したことを確認すると切換装置に対して商用電源から発電装置へ切り換えるよう指示し、
その後一定間隔で予報情報を取得して停電となる危険性が小さいと予測すると切換装置に対して発電装置から商用電源へ切り換えるよう指示し発電装置へ停止を指示することを特徴とする電力供給制御システム。
【請求項３】
電力供給制御対象の情報処理装置に供給する電力を制御する電力供給制御装置と、発電を行う発電装置と、情報処理装置に供給する電力を商用電源とするか発電装置とするかを切り換える切換装置とを含む電力供給制御システムであって、
前記電力供給制御装置は、通信により停電の発生予測の基となる予報情報を取得し、
予報情報に基づいて予め決められた時間以内に停電となる危険性が大きいと予測しさらに危険性が大きい時間に情報処理装置が稼働中と予測すると発電装置を起動して発電を開始させ、発電装置の出力が安定したことを確認すると切換装置に対して商用電源から発電装置へ切り換えるよう指示し、
その後一定間隔で予報情報を取得して停電となる危険性が小さいと予測するか又は情報処理装置の停止を検出した場合に切換装置に対して発電装置から商用電源へ切り換えるよう指示し発電装置へ停止を指示することを特徴とする電力供給制御システム。
【請求項４】
電力供給制御対象の情報処理装置に供給する電力を制御する電力供給制御装置と、発電を行う発電装置と、情報処理装置に供給する電力を商用電源とするか発電装置とするかを切り換える切換装置とを含む電力供給制御システムであって、
前記電力供給制御装置は、情報処理装置が稼働中か停止中かという情報を含む稼働状態情報と予め設定される運転スケジュール情報とを保持する稼働情報部を有し、
繰り返し情報処理装置から稼働状態情報を取得して稼働情報部を更新し、
通信により停電の発生予測の基となる予報情報を取得し、
予報情報に基づいて予め決められた時間以内に停電となる危険性が大きいと予測しさらに運転スケジュール情報を参照して危険性が大きい時間に情報処理装置が稼働中と予測すると発電装置を起動して発電を開始させ、発電装置の出力が安定したことを確認すると切換装置に対して商用電源から発電装置へ切り換えるよう指示し、
その後一定間隔で予報情報を取得して停電となる危険性が小さいと予測するか又は稼働状態情報を参照して情報処理装置の停止を検出した場合に切換装置に対して発電装置から商用電源へ切り換えるよう指示し発電装置へ停止を指示することを特徴とする電力供給制御システム。
【請求項５】
電力供給制御対象の情報処理装置に供給する電力を制御する電力供給制御装置と、発電を行う発電装置と、情報処理装置に供給する電力を商用電源とするか発電装置とするかを切り換える切換装置とを含む電力供給制御システムであって、
前記発電装置は、電力供給制御装置の指示に従って発電を行う発電部と、発電部で発電した電力を蓄える蓄電部と、発電部と蓄電部とから出力を生成する出力部とを有し、
前記電力供給制御装置は、通信により停電の発生予測の基となる予報情報を取得し、予報情報に基づいて予め決められた時間以内に停電する危険性が大きいと予測すると発電装置を起動して発電を開始させて蓄電部の充電を開始し、
その後停電が発生した場合は切換装置に対して停電が終わるまで情報処理装置に供給する電源を商用電源から発電装置へ切り換えるよう指示し、
停電する危険性の大きい時間が過ぎても停電が発生しなかった場合は、発電装置に停止を指示し、蓄電部に充電された電力に応じた時間だけ切換装置に対して商用電源から発電装置へ切り換えるよう指示することを特徴とする電力供給制御システム。
【請求項６】
電力供給制御対象の情報処理装置に供給する電力を制御する電力供給制御装置と、発電を行う発電装置と、情報処理装置に供給する電力を商用電源とするか発電装置とするかを切り換える切換装置とを含む電力供給制御システムであって、
前記発電装置は、電力供給制御装置の指示に従って発電を行う発電部と、発電部で発電した電力を蓄える蓄電部と、発電部と蓄電部とから出力を生成する出力部とを有し、
前記電力供給制御装置は、通信により停電の発生予測の基となる予報情報を取得し、予報情報に基づいて予め決められた時間以内に停電する危険性が大きいと予測し、危険性が大きいと予測しさらに危険性の大きい時間に情報処理装置が稼働中と予測すると発電装置を起動して発電を開始させて蓄電部の充電を開始し、
その後停電が発生した場合は切換装置に対して停電が終わるか又は情報処理装置が停止するまで情報処理装置に供給する電力を商用電源から発電装置へ切り換えるよう指示し、
停電する危険性の大きい時間が過ぎても停電が発生しなかった場合は、切換装置に対して蓄電部に充電された電力に応じた時間だけ情報処理装置に供給する電力を商用電源から発電装置へ切り換えるよう指示することを特徴とする電力供給制御システム。
【請求項７】
電力供給制御対象の情報処理装置に供給する電力を制御する電力供給制御装置と、発電を行う発電装置と、情報処理装置に供給する電力を商用電源とするか発電装置とするかを切り換える切換装置とを含む電力供給制御システムであって、
前記発電装置は、電力供給制御装置の指示に従って発電を行う発電部と、発電部で発電した電力を蓄える蓄電部と、発電部と蓄電部とから出力を生成する出力部とを有し、
前記電力供給制御装置は、情報処理装置が稼働中か停止中かという情報を含む稼働状態情報と予め設定される運転スケジュール情報とを保持する稼働情報部を有し、
繰り返し情報処理装置から稼働状態情報を取得して稼働情報部を更新し、
通信により停電の発生予測の基となる予報情報を取得し、予報情報に基づいて予め決められた時間以内に停電となる危険性が大きいと予測しさらに運転スケジュール情報を参照して危険性が大きい時間に情報処理装置が稼働中と予測すると発電装置を起動して発電を開始させて蓄電部の充電を開始し、
その後停電が発生した場合は切換装置に対して停電が終わるか又は稼働状態情報を参照して情報処理装置の停止を検出するまで情報処理装置に供給する電力を商用電源から発電装置へ切り換えるよう指示し、
停電する危険性の大きい時間が過ぎても停電が発生しなかった場合は、発電装置に停止を指示し、切換装置に対して蓄電部に充電された電力に応じた時間だけ情報処理装置に供給する電力を商用電源から発電装置へ切り換えるよう指示することを特徴とする電力供給制御システム。
【請求項８】
前記切換装置は蓄電機能を備えた無停電電源装置であることを特徴とする請求項１乃至請求項７のいずれかの電力供給制御システム。
【請求項９】
通信により停電の発生予測の基となる予報情報を取得し、予報情報に基づいて予め決められた時間以内に停電となる危険性が大きいと予測すると発電装置を起動して発電を開始させ、
発電装置の出力が安定したことを確認すると電力供給制御対象の情報処理装置に供給する電力を商用電源から発電装置へ切り換えるよう切換装置に対して指示することを特徴とする電力供給制御装置。
【請求項１０】
通信により停電の発生予測の基となる予報情報を取得し、予報情報に基づいて予め決められた時間以内に停電となる危険性が大きいと予測すると発電装置を起動して発電を開始させ、
発電装置の出力が安定したことを確認すると電力供給制御対象の情報処理装置に供給する電力を商用電源から発電装置へ切り換えるよう切換装置に対して指示し、
その後一定間隔で予報情報を取得して停電となる危険性が小さいと予測すると情報処理装置に供給する電力を発電装置から商用電源へ切り換えるよう切換装置に対して指示することを特徴とする電力供給制御装置。
【請求項１１】
通信により停電の発生予測の基となる予報情報を取得し、予報情報に基づいて予め決められた時間以内に停電する危険性が大きいと予測すると発電装置を起動して発電を開始させて発電装置に設けた蓄電部の充電を開始し、
その後停電が発生した場合は切換装置に対して停電が終わるまで電力供給制御対象の情報処理装置に供給する電源を商用電源から発電装置へ切り換えるよう指示し、
停電する危険性の大きい時間が過ぎても停電が発生しなかった場合は、発電装置に停止を指示し、切換装置に対して蓄電部に充電された電力に応じた時間だけ情報処理装置に供給する電力を商用電源から発電装置へ切り換えるよう指示することを特徴とする電力供給制御装置。
【請求項１２】
通信により停電の発生予測の基となる予報情報を取得し、予報情報に基づいて予め決められた時間以内に停電する危険性が大きいと予測しさらに危険性の大きい時間に電力供給制御対象の情報処理装置が稼働中と予測すると発電装置を起動して発電を開始させて発電装置に設けた蓄電部の充電を開始し、
その後停電が発生した場合は切換装置に対して停電が終わるか又は情報処理装置が停止するまで情報処理装置に供給する電力を商用電源から発電装置へ切り換えるよう指示し、
停電する危険性の大きい時間が過ぎても停電が発生しなかった場合は、発電装置に停止を指示し、切換装置に対して蓄電部に充電された電力に応じた時間だけ情報処理装置に供給する電力を商用電源から発電装置へ切り換えるよう指示することを特徴とする電力供給制御装置。
【請求項１３】
電力供給制御対象の情報処理装置が稼働中か停止中かという情報を含む稼働状態情報と予め設定される運転スケジュール情報とを保持する稼働情報部を有し、
繰り返し情報処理装置から稼働状態情報を取得して稼働情報部を更新し、
通信により停電の発生予測の基となる予報情報を取得し、
予報情報に基づいて予め決められた時間以内に停電する危険性が大きいと予測しさらに運転スケジュール情報を参照して危険性が大きい時間に情報処理装置が稼働中と予測すると発電装置を起動して発電を開始させて発電装置に設けた蓄電部の充電を開始し、
その後停電が発生した場合は切換装置に対して停電が終わるか又は稼働状態情報を参照して情報処理装置の停止を検出するまで情報処理装置に供給する電力を商用電源から発電装置へ切り換えるよう指示し、
停電する危険性の大きい時間が過ぎても停電が発生しなかった場合は、発電装置に停止を指示し、切換装置に対して蓄電部に充電された電力に応じた時間だけ情報処理装置に供給する電力を商用電源から発電装置へ切り換えるよう指示することを特徴とする電力供給制御装置。
【請求項１４】
通信により停電の発生予測の基となる予報情報を取得し、予報情報に基づいて予め決められた時間以内に停電となる危険性が大きいと予測すると発電装置を起動して発電を開始させ、
発電装置の出力が安定したことを確認すると電力供給制御対象の情報処理装置に供給する電力を商用電源から発電装置へ切り換えるよう切換装置に対して指示することを特徴とする電力供給制御方法。
【請求項１５】
通信により停電の発生予測の基となる予報情報を取得し、予報情報に基づいて予め決められた時間以内に停電となる危険性が大きいと予測すると発電装置を起動して発電を開始させ、
発電装置の出力が安定したことを確認すると電力供給制御対象の情報処理装置に供給する電力を商用電源から発電装置へ切り換えるよう切換装置に対して指示し、
その後一定間隔で予報情報を取得して停電となる危険性が小さいと予測すると情報処理装置に供給する電力を発電装置から商用電源へ切り換えるよう切換装置に対して指示することを特徴とする電力供給制御方法。
【請求項１６】
通信により停電の発生予測の基となる予報情報を取得し、予報情報に基づいて予め決められた時間以内に停電する危険性が大きいと予測すると発電装置を起動して発電を開始させて発電装置に設けた蓄電部の充電を開始し、
その後停電が発生した場合は切換装置に対して停電が終わるまで電力供給制御対象の情報処理装置に供給する電源を商用電源から発電装置へ切り換えるよう指示し、
停電する危険性の大きい時間が過ぎても停電が発生しなかった場合は、切換装置に対して蓄電部に充電された電力に応じた時間だけ情報処理装置に供給する電力を商用電源から発電装置へ切り換えるよう指示することを特徴とする電力供給制御方法。
【請求項１７】
通信により停電の発生予測の基となる予報情報を取得し、予報情報に基づいて予め決められた時間以内に停電する危険性が大きいと予測しさらに危険性の大きい時間に電力供給制御対象の情報処理装置が稼働中と予測すると発電装置を起動して発電を開始させて発電装置に設けた蓄電部の充電を開始し、
その後停電が発生した場合は切換装置に対して停電が終わるか又は情報処理装置が停止するまで情報処理装置に供給する電力を商用電源から発電装置へ切り換えるよう指示し、
停電する危険性の大きい時間が過ぎても停電が発生しなかった場合は、切換装置に対して蓄電部に充電された電力に応じた時間だけ情報処理装置に供給する電力を商用電源から発電装置へ切り換えるよう指示することを特徴とする電力供給制御方法。
【請求項１８】
繰り返し電力供給制御対象の情報処理装置が稼働中か停止中かという情報を含む稼働状態情報を情報処理装置から取得して稼働情報部に記憶される稼働状態情報を更新し、
通信により停電の発生予測の基となる予報情報を取得し、
予報情報に基づいて予め決められた時間以内に停電する危険性が大きいと予測しさらに稼働情報部に記憶される情報処理装置の運転スケジュール情報を参照して危険性が大きい時間に情報処理装置が稼働中と予測すると発電装置を起動して発電を開始させて発電装置に設けた蓄電部の充電を開始し、
その後停電が発生した場合は切換装置に対して停電が終わるか又は稼働状態情報を参照して情報処理装置の停止を検出するまで情報処理装置に供給する電力を商用電源から発電装置へ切り換えるよう指示し、
停電する危険性の大きい時間が過ぎても停電が発生しなかった場合は、発電装置に停止を指示し、切換装置に対して蓄電部に充電された電力に応じた時間だけ情報処理装置に供給する電力を商用電源から発電装置へ切り換えるよう指示することを特徴とする電力供給制御方法。
【請求項１９】
通信により停電の発生予測の基となる予報情報を取得し、予報情報に基づいて予め決められた時間以内に停電となる危険性が大きいと予測すると発電装置を起動して発電を開始させる手順と、
発電装置の出力が安定したことを確認すると電力供給制御対象の情報処理装置に供給する電力を商用電源から発電装置へ切り換えるよう切換装置に対して指示する手順とをコンピュータに実行させることを特徴とするプログラム。
【請求項２０】
通信により停電の発生予測の基となる予報情報を取得し、予報情報に基づいて予め決められた時間以内に停電となる危険性が大きいと予測すると発電装置を起動して発電を開始させる手順と、
発電装置の出力が安定したことを確認すると電力供給制御対象の情報処理装置に供給する電力を商用電源から発電装置へ切り換えるよう切換装置に対して指示する手順と、
その後一定間隔で予報情報を取得して停電となる危険性が小さいと予測すると情報処理装置に供給する電力を発電装置から商用電源へ切り換えるよう切換装置に対して指示する手順とをコンピュータに実行させることを特徴とするプログラム。
【請求項２１】
通信により停電の発生予測の基となる予報情報を取得し、予報情報に基づいて予め決められた時間以内に停電する危険性が大きいと予測すると発電装置を起動して発電を開始させて発電装置に設けた蓄電部の充電を開始する手順と、
その後停電が発生した場合は切換装置に対して停電が終わるまで電力供給制御対象の情報処理装置に供給する電源を商用電源から発電装置へ切り換えるよう指示する手順と、
停電する危険性の大きい時間が過ぎても停電が発生しなかった場合は、切換装置に対して蓄電部に充電された電力に応じた時間だけ情報処理装置に供給する電力を商用電源から発電装置へ切り換えるよう指示する手順とをコンピュータに実行させることを特徴とするプログラム。
【請求項２２】
通信により停電の発生予測の基となる予報情報を取得し、予報情報に基づいて予め決められた時間以内に停電する危険性が大きいと予測しさらに危険性の大きい時間に電力供給制御対象の情報処理装置が稼働中と予測すると発電装置を起動して発電を開始させて発電装置に設けた蓄電部の充電を開始する手順と、
その後停電が発生した場合は切換装置に対して停電が終わるか又は情報処理装置が停止するまで情報処理装置に供給する電力を商用電源から発電装置へ切り換えるよう指示する手順と、
停電する危険性の大きい時間が過ぎても停電が発生しなかった場合は、切換装置に対して蓄電部に充電された電力に応じた時間だけ情報処理装置に供給する電力を商用電源から発電装置へ切り換えるよう指示する手順とをコンピュータに実行させることを特徴とするプログラム。
【請求項２３】
繰り返し電力供給制御対象の情報処理装置が稼働中か停止中かという情報を含む稼働状態情報を情報処理装置から取得して稼働情報部に記憶される稼働状態情報を更新する手順と、
通信により停電の発生予測の基となる予報情報を取得し、
予報情報に基づいて予め決められた時間以内に停電する危険性が大きいと予測しさらに稼働情報部に記憶される情報処理装置の運転スケジュール情報を参照して危険性が大きい時間に情報処理装置が稼働中と予測すると発電装置を起動して発電を開始させて発電装置に設けた蓄電部の充電を開始する手順と、
その後停電が発生した場合は切換装置に対して停電が終わるか又は稼働状態情報を参照して情報処理装置の停止を検出するまで情報処理装置に供給する電力を商用電源から発電装置へ切り換えるよう指示する手順と、
停電する危険性の大きい時間が過ぎても停電が発生しなかった場合は、発電装置に停止を指示し、切換装置に対して蓄電部に充電された電力に応じた時間だけ情報処理装置に供給する電力を商用電源から発電装置へ切り換えるよう指示する手順とをコンピュータに実行させることを特徴とするプログラム。
【発明の詳細な説明】
【０００１】
【発明の属する技術分野】
本発明は停電時の電力供給制御システム、電力供給制御装置、電力供給制御方法、及びプログラムに関し、特に発電装置を使用して長時間の停電時に電力を供給する技術に関する。
【０００２】
【従来の技術】
従来のコンピュータシステムでは、商用電源が何らかの原因で異常となり、例えば瞬間的に電圧降下（瞬断）した場合や短時間の停電に備えて、システムの運転に支障を来さないために蓄電能力を備え電力供給をバックアップする無停電電源装置（ＵＰＳという）を利用していた。
【０００３】
ＵＰＳが電力を供給できる時間はＵＰＳの蓄電能力とシステムの電力消費量に応じて決まり、通常数分から数十分程度と限られるため、供給時間の限界を超える長時間の停電に備えるためには、商用電源に代わって電力を供給することができる発電装置を利用していた。
【０００４】
このようなＵＰＳや発電装置を制御する方法の一例が特開平９−１３５５４２号公報の発明に示されている。この公報の発明はコンピュータに電力を供給するＵＰＳの入力として商用電源か発電機かを切り換えて供給する構成であり、無人化のためにコンピュータの電源投入（起動状態とする）の指示を遠方装置がＵＰＳに通信して実行し、商用電源と発電機との切り換え指示はＵＰＳが商用電源の異常を検出した後に発電機を起動して切り換えるように制御している。
【０００５】
【特許文献１】
特開平９−１３５５４２号公報
【０００６】
【発明が解決しようとする課題】
従来の電力供給制御の技術では、情報処理装置（コンピュータ）の運転中に電源の異常を検出した後に商用電源から発電機に切り換えるよう制御しているため、異常が発生してから切換が終わるまでの切換処理時間の電力供給を行うために、ＵＰＳのような装置が必要であった。
【０００７】
また、切換処理時間が大きくなるとそれに応じた大きさのバッテリ容量が必要となる。例えば、発電装置の出力が安定するまでの時間や発電装置の起動に失敗し再起動するような場合は切換処理に要する時間が大きくなり、バッテリ容量も大きくする必要があった。例えば安定までの時間が３分程度で再起動した場合は６分以上安定のために要するので、バッテリ容量としては１０分程度の容量が必要となるが、本発明では数秒程度の容量で済む。
【０００８】
本発明の目的は、予め雷雨や台風や地震等の予報のように長時間の停電が発生する危険性を含む情報を集めて危険性を予測し、停電が発生する前に発電装置を起動して商用電源から切り換えることにより停電に対処するようにした電力供給制御システム、電力供給制御装置、電力供給制御方法、及びプログラムを提供することにある。
【０００９】
【課題を解決するための手段】
本発明の第１の電力供給制御システムは、電力供給制御対象の情報処理装置に供給する電力を制御する電力供給制御装置と、発電を行う発電装置と、情報処理装置に供給する電力を商用電源とするか発電装置とするかを切り換える切換装置とを含む電力供給制御システムであって、
前記電力供給制御装置は、通信により停電の発生予測の基となる予報情報を取得し、予報情報に基づいて予め決められた時間以内に停電となる危険性が大きい予測すると発電装置を起動して発電を開始させ、発電装置の出力が安定したことを確認すると切換装置に対して商用電源から発電装置へ切り換えるよう指示することを特徴とする。
【００１０】
本発明の第２の電力供給制御システムは、電力供給制御対象の情報処理装置に供給する電力を制御する電力供給制御装置と、発電を行う発電装置と、情報処理装置に供給する電力を商用電源とするか発電装置とするかを切り換える切換装置とを含む電力供給制御システムであって、
前記電力供給制御装置は、通信により停電の発生予測の基となる予報情報を取得し、予報情報に基づいて予め決められた時間以内に停電となる危険性が大きいと予測すると発電装置を起動して発電を開始させ、
発電装置の出力が安定したことを確認すると切換装置に対して商用電源から発電装置へ切り換えるよう指示し、
その後一定間隔で予報情報を取得して停電となる危険性が小さいと予測すると切換装置に対して発電装置から商用電源へ切り換えるよう指示し発電装置へ停止を指示することを特徴とする。
【００１１】
本発明の第３の電力供給制御システムは、電力供給制御対象の情報処理装置に供給する電力を制御する電力供給制御装置と、発電を行う発電装置と、情報処理装置に供給する電力を商用電源とするか発電装置とするかを切り換える切換装置とを含む電力供給制御システムであって、
前記電力供給制御装置は、通信により停電の発生予測の基となる予報情報を取得し、
予報情報に基づいて予め決められた時間以内に停電となる危険性が大きいと予測しさらに危険性が大きい時間に情報処理装置が稼働中と予測すると発電装置を起動して発電を開始させ、発電装置の出力が安定したことを確認すると切換装置に対して商用電源から発電装置へ切り換えるよう指示し、
その後一定間隔で予報情報を取得して停電となる危険性が小さいと予測するか又は情報処理装置の停止を検出した場合に切換装置に対して発電装置から商用電源へ切り換えるよう指示し発電装置へ停止を指示することを特徴とする。
【００１２】
本発明の第４の電力供給制御システムは、電力供給制御対象の情報処理装置に供給する電力を制御する電力供給制御装置と、発電を行う発電装置と、情報処理装置に供給する電力を商用電源とするか発電装置とするかを切り換える切換装置とを含む電力供給制御システムであって、
前記電力供給制御装置は、情報処理装置が稼働中か停止中かという情報を含む稼働状態情報と予め設定される運転スケジュール情報とを保持する稼働情報部を有し、
繰り返し情報処理装置から稼働状態情報を取得して稼働情報部を更新し、
通信により停電の発生予測の基となる予報情報を取得し、
予報情報に基づいて予め決められた時間以内に停電となる危険性が大きいと予測しさらに運転スケジュール情報を参照して危険性が大きい時間に情報処理装置が稼働中と予測すると発電装置を起動して発電を開始させ、発電装置の出力が安定したことを確認すると切換装置に対して商用電源から発電装置へ切り換えるよう指示し、
その後一定間隔で予報情報を取得して停電となる危険性が小さいと予測するか又は稼働状態情報を参照して情報処理装置の停止を検出した場合に切換装置に対して発電装置から商用電源へ切り換えるよう指示し発電装置へ停止を指示することを特徴とする。
【００１３】
本発明の第５の電力供給制御システムは、電力供給制御対象の情報処理装置に供給する電力を制御する電力供給制御装置と、発電を行う発電装置と、情報処理装置に供給する電力を商用電源とするか発電装置とするかを切り換える切換装置とを含む電力供給制御システムであって、
前記発電装置は、電力供給制御装置の指示に従って発電を行う発電部と、発電部で発電した電力を蓄える蓄電部と、発電部と蓄電部とから出力を生成する出力部とを有し、
前記電力供給制御装置は、通信により停電の発生予測の基となる予報情報を取得し、予報情報に基づいて予め決められた時間以内に停電する危険性が大きいと予測すると発電装置を起動して発電を開始させて蓄電部の充電を開始し、
その後停電が発生した場合は切換装置に対して停電が終わるまで情報処理装置に供給する電源を商用電源から発電装置へ切り換えるよう指示し、
停電する危険性の大きい時間が過ぎても停電が発生しなかった場合は、発電装置に停止を指示し、蓄電部に充電された電力に応じた時間だけ切換装置に対して商用電源から発電装置へ切り換えるよう指示することを特徴とする。
【００１４】
本発明の第６の電力供給制御システムは、電力供給制御対象の情報処理装置に供給する電力を制御する電力供給制御装置と、発電を行う発電装置と、情報処理装置に供給する電力を商用電源とするか発電装置とするかを切り換える切換装置とを含む電力供給制御システムであって、
前記発電装置は、電力供給制御装置の指示に従って発電を行う発電部と、発電部で発電した電力を蓄える蓄電部と、発電部と蓄電部とから出力を生成する出力部とを有し、
前記電力供給制御装置は、通信により停電の発生予測の基となる予報情報を取得し、予報情報に基づいて予め決められた時間以内に停電する危険性が大きいと予測し、危険性が大きいと予測しさらに危険性の大きい時間に情報処理装置が稼働中と予測すると発電装置を起動して発電を開始させて蓄電部の充電を開始し、
その後停電が発生した場合は切換装置に対して停電が終わるか又は情報処理装置が停止するまで情報処理装置に供給する電力を商用電源から発電装置へ切り換えるよう指示し、
停電する危険性の大きい時間が過ぎても停電が発生しなかった場合は、切換装置に対して蓄電部に充電された電力に応じた時間だけ情報処理装置に供給する電力を商用電源から発電装置へ切り換えるよう指示することを特徴とする。
【００１５】
本発明の第７の電力供給制御システムは、電力供給制御対象の情報処理装置に供給する電力を制御する電力供給制御装置と、発電を行う発電装置と、情報処理装置に供給する電力を商用電源とするか発電装置とするかを切り換える切換装置とを含む電力供給制御システムであって、
前記発電装置は、電力供給制御装置の指示に従って発電を行う発電部と、発電部で発電した電力を蓄える蓄電部と、発電部と蓄電部とから出力を生成する出力部とを有し、
前記電力供給制御装置は、情報処理装置が稼働中か停止中かという情報を含む稼働状態情報と予め設定される運転スケジュール情報とを保持する稼働情報部を有し、
繰り返し情報処理装置から稼働状態情報を取得して稼働情報部を更新し、
通信により停電の発生予測の基となる予報情報を取得し、予報情報に基づいて予め決められた時間以内に停電となる危険性が大きいと予測しさらに運転スケジュール情報を参照して危険性が大きい時間に情報処理装置が稼働中と予測すると発電装置を起動して発電を開始させて蓄電部の充電を開始し、
その後停電が発生した場合は切換装置に対して停電が終わるか又は稼働状態情報を参照して情報処理装置の停止を検出するまで情報処理装置に供給する電力を商用電源から発電装置へ切り換えるよう指示し、
停電する危険性の大きい時間が過ぎても停電が発生しなかった場合は、発電装置に停止を指示し、切換装置に対して蓄電部に充電された電力に応じた時間だけ情報処理装置に供給する電力を商用電源から発電装置へ切り換えるよう指示することを特徴とする。
【００１６】
本発明の第８の電力供給制御システムは、本発明の第１乃至第７のいずれかの電力供給制御システムにおいて、前記切換装置は蓄電機能を備えた無停電電源装置であることを特徴とする。
【００１７】
本発明の第１の電力供給制御装置は、通信により停電の発生予測の基となる予報情報を取得し、予報情報に基づいて予め決められた時間以内に停電となる危険性が大きいと予測すると発電装置を起動して発電を開始させ、
発電装置の出力が安定したことを確認すると電力供給制御対象の情報処理装置に供給する電力を商用電源から発電装置へ切り換えるよう切換装置に対して指示することを特徴とする。
【００１８】
本発明の第２の電力供給制御装置は、通信により停電の発生予測の基となる予報情報を取得し、予報情報に基づいて予め決められた時間以内に停電となる危険性が大きいと予測すると発電装置を起動して発電を開始させ、
発電装置の出力が安定したことを確認すると電力供給制御対象の情報処理装置に供給する電力を商用電源から発電装置へ切り換えるよう切換装置に対して指示し、
その後一定間隔で予報情報を取得して停電となる危険性が小さいと予測すると情報処理装置に供給する電力を発電装置から商用電源へ切り換えるよう切換装置に対して指示することを特徴とする。
【００１９】
本発明の第３の電力供給制御装置は、通信により停電の発生予測の基となる予報情報を取得し、予報情報に基づいて予め決められた時間以内に停電する危険性が大きいと予測すると発電装置を起動して発電を開始させて発電装置に設けた蓄電部の充電を開始し、
その後停電が発生した場合は切換装置に対して停電が終わるまで電力供給制御対象の情報処理装置に供給する電源を商用電源から発電装置へ切り換えるよう指示し、
停電する危険性の大きい時間が過ぎても停電が発生しなかった場合は、発電装置に停止を指示し、切換装置に対して蓄電部に充電された電力に応じた時間だけ情報処理装置に供給する電力を商用電源から発電装置へ切り換えるよう指示することを特徴とする。
【００２０】
本発明の第４の電力供給制御装置は、通信により停電の発生予測の基となる予報情報を取得し、予報情報に基づいて予め決められた時間以内に停電する危険性が大きいと予測しさらに危険性の大きい時間に電力供給制御対象の情報処理装置が稼働中と予測すると発電装置を起動して発電を開始させて発電装置に設けた蓄電部の充電を開始し、
その後停電が発生した場合は切換装置に対して停電が終わるか又は情報処理装置が停止するまで情報処理装置に供給する電力を商用電源から発電装置へ切り換えるよう指示し、
停電する危険性の大きい時間が過ぎても停電が発生しなかった場合は、発電装置に停止を指示し、切換装置に対して蓄電部に充電された電力に応じた時間だけ情報処理装置に供給する電力を商用電源から発電装置へ切り換えるよう指示することを特徴とする。
【００２１】
本発明の第５の電力供給制御装置は、電力供給制御対象の情報処理装置が稼働中か停止中かという情報を含む稼働状態情報と予め設定される運転スケジュール情報とを保持する稼働情報部を有し、
繰り返し情報処理装置から稼働状態情報を取得して稼働情報部を更新し、
通信により停電の発生予測の基となる予報情報を取得し、
予報情報に基づいて予め決められた時間以内に停電する危険性が大きいと予測しさらに運転スケジュール情報を参照して危険性が大きい時間に情報処理装置が稼働中と予測すると発電装置を起動して発電を開始させて発電装置に設けた蓄電部の充電を開始し、
その後停電が発生した場合は切換装置に対して停電が終わるか又は稼働状態情報を参照して情報処理装置の停止を検出するまで情報処理装置に供給する電力を商用電源から発電装置へ切り換えるよう指示し、
停電する危険性の大きい時間が過ぎても停電が発生しなかった場合は、発電装置に停止を指示し、切換装置に対して蓄電部に充電された電力に応じた時間だけ情報処理装置に供給する電力を商用電源から発電装置へ切り換えるよう指示することを特徴とする。
【００２２】
本発明の第１の電力供給制御方は、通信により停電の発生予測の基となる予報情報を取得し、予報情報に基づいて予め決められた時間以内に停電となる危険性が大きいと予測すると発電装置を起動して発電を開始させ、
発電装置の出力が安定したことを確認すると電力供給制御対象の情報処理装置に供給する電力を商用電源から発電装置へ切り換えるよう切換装置に対して指示することを特徴とする法。
【００２３】
本発明の第２の電力供給制御方法は、通信により停電の発生予測の基となる予報情報を取得し、予報情報に基づいて予め決められた時間以内に停電となる危険性が大きいと予測すると発電装置を起動して発電を開始させ、
発電装置の出力が安定したことを確認すると電力供給制御対象の情報処理装置に供給する電力を商用電源から発電装置へ切り換えるよう切換装置に対して指示し、
その後一定間隔で予報情報を取得して停電となる危険性が小さいと予測すると情報処理装置に供給する電力を発電装置から商用電源へ切り換えるよう切換装置に対して指示することを特徴とする。
【００２４】
本発明の第３の電力供給制御方法は、通信により停電の発生予測の基となる予報情報を取得し、予報情報に基づいて予め決められた時間以内に停電する危険性が大きいと予測すると発電装置を起動して発電を開始させて発電装置に設けた蓄電部の充電を開始し、
その後停電が発生した場合は切換装置に対して停電が終わるまで電力供給制御対象の情報処理装置に供給する電源を商用電源から発電装置へ切り換えるよう指示し、
停電する危険性の大きい時間が過ぎても停電が発生しなかった場合は、切換装置に対して蓄電部に充電された電力に応じた時間だけ情報処理装置に供給する電力を商用電源から発電装置へ切り換えるよう指示することを特徴とする。
【００２５】
本発明の第４の電力供給制御方法は、通信により停電の発生予測の基となる予報情報を取得し、予報情報に基づいて予め決められた時間以内に停電する危険性が大きいと予測しさらに危険性の大きい時間に電力供給制御対象の情報処理装置が稼働中と予測すると発電装置を起動して発電を開始させて発電装置に設けた蓄電部の充電を開始し、
その後停電が発生した場合は切換装置に対して停電が終わるか又は情報処理装置が停止するまで情報処理装置に供給する電力を商用電源から発電装置へ切り換えるよう指示し、
停電する危険性の大きい時間が過ぎても停電が発生しなかった場合は、切換装置に対して蓄電部に充電された電力に応じた時間だけ情報処理装置に供給する電力を商用電源から発電装置へ切り換えるよう指示することを特徴とする。
【００２６】
本発明の第５の電力供給制御方法は、繰り返し電力供給制御対象の情報処理装置が稼働中か停止中かという情報を含む稼働状態情報を情報処理装置から取得して稼働情報部に記憶される稼働状態情報を更新し、
通信により停電の発生予測の基となる予報情報を取得し、
予報情報に基づいて予め決められた時間以内に停電する危険性が大きいと予測しさらに稼働情報部に記憶される情報処理装置の運転スケジュール情報を参照して危険性が大きい時間に情報処理装置が稼働中と予測すると発電装置を起動して発電を開始させて発電装置に設けた蓄電部の充電を開始し、
その後停電が発生した場合は切換装置に対して停電が終わるか又は稼働状態情報を参照して情報処理装置の停止を検出するまで情報処理装置に供給する電力を商用電源から発電装置へ切り換えるよう指示し、
停電する危険性の大きい時間が過ぎても停電が発生しなかった場合は、発電装置に停止を指示し、切換装置に対して蓄電部に充電された電力に応じた時間だけ情報処理装置に供給する電力を商用電源から発電装置へ切り換えるよう指示することを特徴とする。
【００２７】
本発明の第１のプログラムは、通信により停電の発生予測の基となる予報情報を取得し、予報情報に基づいて予め決められた時間以内に停電となる危険性が大きいと予測すると発電装置を起動して発電を開始させる手順と、
発電装置の出力が安定したことを確認すると電力供給制御対象の情報処理装置に供給する電力を商用電源から発電装置へ切り換えるよう切換装置に対して指示する手順とをコンピュータに実行させることを特徴とする。
【００２８】
本発明の第２のプログラムは、通信により停電の発生予測の基となる予報情報を取得し、予報情報に基づいて予め決められた時間以内に停電となる危険性が大きいと予測すると発電装置を起動して発電を開始させる手順と、
発電装置の出力が安定したことを確認すると電力供給制御対象の情報処理装置に供給する電力を商用電源から発電装置へ切り換えるよう切換装置に対して指示する手順と、
その後一定間隔で予報情報を取得して停電となる危険性が小さいと予測すると情報処理装置に供給する電力を発電装置から商用電源へ切り換えるよう切換装置に対して指示する手順とをコンピュータに実行させることを特徴とする。
【００２９】
本発明の第３のプログラムは、通信により停電の発生予測の基となる予報情報を取得し、予報情報に基づいて予め決められた時間以内に停電する危険性が大きいと予測すると発電装置を起動して発電を開始させて発電装置に設けた蓄電部の充電を開始する手順と、
その後停電が発生した場合は切換装置に対して停電が終わるまで電力供給制御対象の情報処理装置に供給する電源を商用電源から発電装置へ切り換えるよう指示する手順と、
停電する危険性の大きい時間が過ぎても停電が発生しなかった場合は、切換装置に対して蓄電部に充電された電力に応じた時間だけ情報処理装置に供給する電力を商用電源から発電装置へ切り換えるよう指示する手順とをコンピュータに実行させることを特徴とする。
【００３０】
本発明の第４のプログラムは、通信により停電の発生予測の基となる予報情報を取得し、予報情報に基づいて予め決められた時間以内に停電する危険性が大きいと予測しさらに危険性の大きい時間に電力供給制御対象の情報処理装置が稼働中と予測すると発電装置を起動して発電を開始させて発電装置に設けた蓄電部の充電を開始する手順と、
その後停電が発生した場合は切換装置に対して停電が終わるか又は情報処理装置が停止するまで情報処理装置に供給する電力を商用電源から発電装置へ切り換えるよう指示する手順と、
停電する危険性の大きい時間が過ぎても停電が発生しなかった場合は、切換装置に対して蓄電部に充電された電力に応じた時間だけ情報処理装置に供給する電力を商用電源から発電装置へ切り換えるよう指示する手順とをコンピュータに実行させることを特徴とする。
【００３１】
本発明の第５のプログラムは、繰り返し電力供給制御対象の情報処理装置が稼働中か停止中かという情報を含む稼働状態情報を情報処理装置から取得して稼働情報部に記憶される稼働状態情報を更新する手順と、
通信により停電の発生予測の基となる予報情報を取得し、
予報情報に基づいて予め決められた時間以内に停電する危険性が大きいと予測しさらに稼働情報部に記憶される情報処理装置の運転スケジュール情報を参照して危険性が大きい時間に情報処理装置が稼働中と予測すると発電装置を起動して発電を開始させて発電装置に設けた蓄電部の充電を開始する手順と、
その後停電が発生した場合は切換装置に対して停電が終わるか又は稼働状態情報を参照して情報処理装置の停止を検出するまで情報処理装置に供給する電力を商用電源から発電装置へ切り換えるよう指示する手順と、
停電する危険性の大きい時間が過ぎても停電が発生しなかった場合は、発電装置に停止を指示し、切換装置に対して蓄電部に充電された電力に応じた時間だけ情報処理装置に供給する電力を商用電源から発電装置へ切り換えるよう指示する手順とをコンピュータに実行させることを特徴とする。
【００３２】
【発明の実施の形態】
次に、本発明の実施の形態について図面を参照して詳細に説明する。図１は本発明の第１の実施の形態のシステム構成を示した図である。図１のシステムは、電力供給制御装置１０と、発電装置１４と、切換装置１５と、コンピュータ２１と、と、情報提供システム２２と、インターネット２９とを含む。図１で矢印のついた線は電力の伝達を示しており、他の線は情報の伝達を示す。
【００３３】
なお、図１では電力供給制御装置１０と情報提供システム２２のみがインターネット２９と接続するが、他の装置がインターネット２９に接続するか否かは任意である。また、電力供給制御装置１０と情報提供システム２２は、それぞれ直接インターネット２９に接続してもよいが、図示しないがＬＡＮ（ｌｏｃａｌ  ａｒｅａ  ｎｅｔｗｏｒｋ）やインターネット接続業者の設備を介してインターネット２９に接続してもよい。
【００３４】
情報提供システム２２は、雷雨や台風等の気象状況や火山活動、地震予測や海洋状況などの現況や、今後の天気や警報や注意報等の予報情報を２４時間リアルタイムで提供するシステムであり、例えば全国的な情報を提供する気象庁のシステムや、局地的な気象予報を有料で提供する業者のシステム等である。情報提供システム２２は、インターネット２９に接続し、ウェブページや電子メールにより情報を提供する機能を有する。
【００３５】
コンピュータ２１は企業内で使用しているサーバ、ワークステーションやパソコン等の情報処理装置であり、通常多数の装置を集合してシステムを形成し、停電等により停止することができないような業務を実行し、また電力供給制御装置１０へ稼働状態の情報を提供する。
【００３６】
切換装置１５は、電力供給業者が有料で提供する商用電源の電力と発電装置１４が発電した電力とを電力供給制御装置１０の指示に従って切り換えてコンピュータ２１へ供給する装置である。発電装置１４は、商用電源とは独立して発電可能な装置であり、電力供給制御装置１０の指示に従って発電を開始し、発電を停止し、発電した電力を切換装置に供給する。切換装置１５と発電装置１４の電力供給制御装置１０とのインターフェースの部分は商用電源とは独立した電源により動作し、商用電源が停電中であっても電力供給制御装置１０の指示を受けて動作できるようになっている。
【００３７】
電力供給制御装置１０は、電力制御部１１と稼働情報部１２とを含み、インターネット２９に接続して情報提供システム２２から予報情報を取得する機能や発電装置１４や切換装置１５やコンピュータ２１を制御する装置である。電力供給制御装置１０は、コンピュータ２１や発電装置１４や切換装置１５とはＬＡＮや専用のインターフェースでそれぞれ接続され、情報の取得や指示情報の送信等を行う。接続形態や通信方法については限定しない。
【００３８】
電力制御部１１は、稼働情報部１２の管理と、コンピュータ２１と発電装置１４と切換装置１５の電源に関する処理を実行し、通常プログラムで実現される。電力制御部１１は、情報提供システム２２からの予報情報やコンピュータ２１の運転スケジュールや稼働情報に基づいて電源処理を実行する。
【００３９】
稼働情報部１２は、コンピュータ２１の現在の稼働状態情報やコンピュータ２１の運転スケジュール情報を記憶する記憶手段であり、電力制御部１１により管理される。運転スケジュール情報は予めシステムの管理者により設定される情報であり運転スケジュールの変更があった場合更新される。稼働状態情報は、コンピュータ２１が正常に稼働しているか停止しているかといった情報を含み、電力制御部１１が一定間隔でコンピュータ２１と交信して取得した情報で更新される。
【００４０】
図２は、稼働情報部１２に記憶される稼働状態情報の一例を示した図であり、図３は稼働情報部１２に記憶される運転スケジュール情報の一例を示した図である。図２に示すように稼働状態情報はサーバＡやサーバＢのようなコンピュータ２１毎の現状の稼働状態や稼働内容等を含み、図３に示すように運転スケジュール情報はサーバＡやサーバＢのようなコンピュータ２１毎の立ち上げ（電源投入）と停止（電源切断）の時刻情報を含んでいる。なお、図２においてＵＰＳを組み込まない構成ではＵＰＳ番号の情報は含まれない。
【００４１】
次に本発明の第１の実施の形態の動作を図４のフローチャートを参照して説明する。電力制御部１１は下記の動作中にも、一定間隔でコンピュータ２１のそれぞれの稼働状態情報を取得して稼働情報部１２の情報の更新を実行しているものとする。
【００４２】
この場合の稼働状態情報の更新方法は特に限定しないが、例えばスケジュールの単位を１０分単位とすれば１０分間隔や５分単位間隔でもよいし、また、各コンピュータ２１の正常動作の確認をかねる場合等は数秒毎に情報を取得し無反応の場合にコンピュータ２１が異常となったと判定してもよいし、異常の発生等のスケジュールにない偶発的な事象が発生した場合はコンピュータ２１から情報を通知するようにして通知された情報を受信して更新してもよい。これらの処理は下記動作中に割り込んで実行されるものとする。
【００４３】
電力制御部１１は一定間隔で情報提供システム２２にアクセスして予報情報を取得する（Ｓ６１）。ただし、情報提供システム２２との契約により予報情報の更新に伴って電子メール等で予報情報を受け取るようにしてもよい。
【００４４】
電力制御部１１は、取得した予報情報を解析して予め決められた条件と比較して停電の可能性を判断し（Ｓ６２）、停電の可能性が小さいと判断すればステップＳ６１へ戻り一定時間後に繰り返し予報情報を取得する。例えば、午後２時の時点で午後３時頃から午後４時頃にかけて強い雷雨が予報されれば、午後２時３０に停電に対する制御を開始するよう準備する。
【００４５】
ステップＳ６２で停電の可能性が大きいと判断した場合、電力制御部１１、停電の準備開始時点で稼働情報部１２から稼働情報と運転スケジュール情報とを読み出して（Ｓ６３）、停電の可能性の大きい時間帯に少なくともコンピュータ２１の１つ以上が稼働しているか予測し（Ｓ６４）、稼働していないと予測した場合は停電の準備はせずにステップＳ６１へ戻る。ここで停電の準備開始時点とは上記雷雨予報の例では午後２時３０分の時点を示す。
【００４６】
ステップＳ６４で稼働と予測した場合、電力制御部１１は発電装置１４を起動し（Ｓ６５）決められた時間後に発電装置１４の状態を取得し（Ｓ６６）、発電装置１４が正常に立ち上がり出力電力が安定したかを判定する（Ｓ６７）。例えば、発電装置１４の出力が安定するまでに３分かかるとすれば、電力制御部１１は発電装置１４から起動の３分後に状態を取得する。
【００４７】
また、再試行の実行が１回設定されている場合、電力制御部１１は３分後に発電装置１４の状態を取得し結果が異常だった場合は発電装置１４を一旦停止後に再起動し再び３分後に発電装置１４の状態を判断する。このように再試行のある場合、ステップＳ６６は最終判断を行うステップとなる。
【００４８】
ステップＳ６６で異常となった場合、電力制御部１１は発電装置１４を停止して、発電装置１４の異常をシステム管理者へ通知し（Ｓ６８）、ステップＳ６１へ戻る。システム管理者への通知は電力供給制御装置１０の表示手段に異常発生を知らせるメッセージを表示したり、指定の連絡先へインターネット２９を介して電子メールで通知したり、図示しないが電話回線に接続して指定の電話又は端末へ異常発生を通知したりする方法があるが、これらのいずれでも、またこれらの組み合わせでもよい。
【００４９】
ステップＳ６６で正常だった場合、電力制御部１１は切換装置１５に対してコンピュータ２１へ供給する電力を商用電源から発電装置１４に切り換えるよう指示する（Ｓ６９）。切換装置１５は指示を受けて商用電源から発電装置１４に切り換える。これによりコンピュータ２１は発電装置１４からの電力で運転されるため、商用電源で瞬断や停電が発生しても支障なく運転を続けることができる状態に入る。
【００５０】
この後も電力制御部１１は、情報提供システム２２にアクセスして予報情報を取得し、予報情報を解析して停電となる危険性が小さくなり停電となる危険性が解除されたかを判定し（Ｓ７０）、危険性が解除された場合は切換装置１５に商用電源へ切り換えるよう指示し（Ｓ７２）、発電装置１４に停止を指示する（Ｓ７３）。
例えば午後４時の予報で雷雨が去り落雷の危険性が去り新たな停電要因がないことを確認すれば危険性が小さくなったと判定する。
【００５１】
ステップＳ７０で停電となる危険性が解除されず残っている場合は稼働情報部１２を参照して稼働状態を判定し（Ｓ７１）、すべてのコンピュータ２１の稼働が停止すれば切換装置１５に商用電源へ切り換えるよう指示し（Ｓ７２）、発電装置１４に停止を指示し（Ｓ７３）、少なくとも１つのコンピュータが稼働中であればステップ７０に戻って予報情報の取得からの処理を繰り返す。
【００５２】
このように、本発明の第１の実施の形態では、予報情報と稼働情報に基づいて停電の可能性を判定し、停電の可能性が小さい場合は費用の小さい商用電源を使用し、商用電源の停電の可能性が大きい場合は安定した電力供給が可能な発電装置１４に切り換えることによりＵＰＳ等の電源バックアップ装置がなくても電力を安定供給できる。
【００５３】
また、図１の構成にて切換装置１５とコンピュータ２１との間にＵＰＳを挿入して予測不能な短時間の停電や瞬断へ備えるようにしてもよい。台風や雷雨、地震、大雪等の自然災害による長時間の停電が発生する場合、予め予測して発電装置１４を起動しているため、ＵＰＳは従来のように発電装置１４による電力に切り換える時間を満足するためのバッテリ容量は必要とせず、短時間の停電を救済できる程度のバッテリ容量で済む。
【００５４】
次に本発明の第２の実施の形態について図面を参照して説明する。図５は第２の実施の形態のシステム構成を示した図である。第２の実施の形態は、第１の実施の形態と比べて発電装置４０が蓄電部４２を設けるようにした点特徴がある。また、切換装置１５の代わりに蓄電機能を加えたＵＰＳ５０が組み込まれている点にも特徴がある。なお、第１の実施の形態と同じ機能を持つものは図１と同じ符号を付けている。
【００５５】
図５を参照すると、第２の実施の形態のシステムは第１の実施の形態と同じ機能のコンピュータ２１・情報提供システム２２・インターネット２９に、電力供給制御装置３０と、発電装置４０と、ＵＰＳ５０とを含む構成となる。
【００５６】
発電装置４０は、発電を行う発電部４１と、発電部４１が発電した電力を蓄電する蓄電部４２と、発電部４１と蓄電部４２との電力を合成して出力する出力部４３とを含んでいる。蓄電部４２は発電部４１の交流電力を直流に変えて充電する機能を含み、出力部４３は発電部４１の交流を直流に変えて蓄電部４２の直流と合わせてから交流に戻して出力するが、蓄電部４２の出力を交流に変換して発電部４１の交流出力とを切り換える構成としてもよく、発電停止中の際に蓄電部４２から出力できる構造があればよい。
【００５７】
ＵＰＳ５０は、電力を蓄電する蓄電部５２と切換部５１とを含み、稼働情報部３２で管理されるコンピュータ２１に対して１対１で接続し、コンピュータ２１に電力を供給する。ただし、消費電力の小さいコンピュータ２１を複数まとめて１対Ｎで電力供給してもよい。例えば、図２を参照すると、サーバＢとサーバＣは同じＵＰＳから供給される。
【００５８】
切換部５１は、電力供給制御装置３０の指示により出力電力を発電装置４０とするかそれ以外とするかを切り換えられるようになっており、商用電源か蓄電部５２かの切換は商用電源の供給が停止すると蓄電部５２に切り換えるようになっている。蓄電部５２は、商用電源が供給されている場合に充電できるようになっており、商用電源の停止により商用電源に代わって電力を供給する。なお、切換部５１と蓄電部５２との間は直流であり切換部５１の内部で直流と交流との変換を行う。
【００５９】
電力供給制御装置３０は、電力制御部３１と稼働情報部３２を含み、稼働情報部３２の内容は図１の稼働情報部１２と同じであり、電力制御部３１による稼働情報部３２の管理も電力制御部１１による稼働情報部１２の管理と同じである。電力制御部３１は稼働情報部３２の管理の他に情報提供システム２２へアクセスして予報情報を取得し、コンピュータ２１へアクセスしてコンピュータ２１の稼働状態を取得し、発電装置４０とＵＰＳ５０の起動・停止、電力切換等の制御を実行する。
【００６０】
次に本発明の第２の実施の形態の動作について図面を用いて説明する。図６は第２の実施の形態の動作を示したフローチャートである。まず、電力制御部３１は一定間隔で情報提供システム２２から予報情報を取得し（Ｓ８１）、停電となる危険性を判定し（Ｓ８２）、停電予測時間の稼働状況を確認する（Ｓ８３）。これらのステップＳ８１〜Ｓ８３の動作はステップＳ６１〜Ｓ６４の動作と同じである。
【００６１】
停電予測時間帯で稼働が予測される場合、電力制御部３１は発電装置４０に起動を指示する（Ｓ８４）。発電装置４０は、起動指示を受けると発電部４１を起動し、発電部４１は発電を開始する。発電部４１が発電を開始すると出力部４３は発電部４１又は蓄電部４２から出力を開始し、一定時間後に発電部４１の出力が安定すると蓄電部４２への充電が開始される。
【００６２】
電力制御部３１は、発電装置４０で定めた規定時間を経過すると発電装置４０から状態を取得して（Ｓ８５）、正常か判定する（Ｓ８６）。ここで規定時間とは発電装置４０の特性に応じて決められる時間で、例えば出力が安定する時間等により決められる。
【００６３】
ステップＳ８６で異常と判定した場合、電力制御部３１は、発電装置４０を停止し、異常の発生を通知する（Ｓ９２）。異常発生の通知方法は特に限定しないが、例えば、図示しないが電力供給制御装置３０の表示手段へのメッセージを表示したり、決められた宛先へインターネット２９を介して電子メールを発信したり、公衆回線に接続して決められた端末へ通報したりする。
【００６４】
また、発電装置４０の起動が失敗した場合に再起動するように制御してもよく、その場合は図示しないがステップＳ８６で発電装置４０を停止してステップＳ８４へ戻る。再起動の回数は、通常１回とか３回までとかに制限されるので、それを越えた場合は異常の判定となる。例えば、再起動回数が１回と制限された場合は、２回目のステップＳ８６で再度異常であれば異常と判定してステップＳ９２へ進み、２回目のステップＳ８６で正常であれば正常判定となる。
【００６５】
ステップＳ８６で正常と判定した場合、電力制御部３１は、停電の発生を待つ（Ｓ８７）。停電の発生の検出は例えばＵＰＳ５０の１つに問い合わせて商用電源の供給状態から判定すればよい。
【００６６】
停電が検出されない場合、電力制御部３１は、予報情報を取得して停電となる危険性が解除されたか判定し（Ｓ８８）、解除されなければステップ８７に戻り停電の発生待ちを継続する。
【００６７】
解除された場合、電力制御部３１は、発電装置４０に停止を指示し（Ｓ８９）、稼働情報部３２を参照してコンピュータ２１の稼働中を判定する（Ｓ９０）。この場合のコンピュータ２１の稼働状態は、すべてのコンピュータ２１が停止中の場合停止と判定し、それ以外は稼働中と判定する。図３の運転スケジュールを参照すれば、サーバＡが月曜日の８時から金曜日の１８時までであり、サーバＤが月曜日から金曜日の毎日９時から１９時までなので、コンピュータ２１の全体の稼働中の状態はスケジュール上月曜日の８時から金曜日の１９時までとなる。ただし、実際の稼働状態は図２の稼働状態情報を参照して判定する。
【００６８】
ステップＳ９０で稼働中でない場合は稼働中となるのを待ち合わせ、稼働中となると、電力制御部３１は、ＵＰＳ５０へ商用電源から発電装置４０へ切り換えるよう指示し規定時間経過後にＵＰＳ５０へ商用電源に戻すように指示する（Ｓ９１）。
【００６９】
発電装置４０は、停止の指示を受けると発電部４１を停止して発電を停止し、出力部４３は蓄電部４２に蓄電された電力を出力可能な状態にする。ＵＰＳ５０は、商用電源から発電装置４０への切換指示を受けると商用電源の供給を止め、発電装置４０からの供給のみにする。これにより蓄電部４２に蓄電された電力がコンピュータ４１へ供給される。
【００７０】
設定された時間後に商用電源への切換指示を受けると、ＵＰＳ５０は商用電源からの電力供給を受け付けるようにし商用電源の電力をコンピュータ２１へ供給するようにする。切換部５１が商用電源と発電装置４０と蓄電部５２の電力を直流の状態で合わせて交流にして出力するようにできていれば、切換指示に対して商用電源の供給を切断・接続するよう制御すればよい。
【００７１】
なお、この場合の設定時間とは蓄電部４２の容量・充電量と稼働中のコンピュータ２１の消費電力から決められる時間であり、大きくしすぎると商用電源への切換が遅れて蓄電部４２と蓄電部５２がともに放電してしまいコンピュータ２１への電力供給が止まってしまうので、そうならないように設定する必要がある。
【００７２】
発電装置４０で発電を始めたが停電が発生せずに停電となる危険性が去った場合は、ステップ８８〜Ｓ９２の動作により、停電予測で発電装置４０が発電した電力が蓄電部４２に逐電され、停電の危険が去った後にコンピュータ２１に供給されて消費されるので、発電した電力を無駄にせず有効に利用できるようになる。
【００７３】
ステップＳ８７で停電を検出した場合、電力制御部３１は、ＵＰＳ５０へ商用電源から発電装置４０へ切り換えるよう指示する（Ｓ９３）。ＵＰＳ５０は、商用電源から発電装置４０への切換指示を受けると商用電源から発電装置４０に切り換えて電力を出力するようにする。これにより発電装置４０で発電した電力をコンピュータ２１へ供給できるので、電力の供給を継続できる。切換部５１が商用電源と発電装置４０と蓄電部５２の電力を直流の状態で合わせて交流にして出力するようにできていれば停電により自動的に発電装置４０の電力のみとなるので、電力制御部３１はＵＰＳ５０への切換指示を出さなくてもよい。
【００７４】
このようにして、停電時でも発電装置４０から電力を供給することにより、コンピュータ２１の電力供給を継続することができる。この状態では、停電となる危険性が解除されたかを判定し（Ｓ９４）、解除されていなければさらに稼働中が停止中となったか判定する（Ｓ９５）。解除されず稼働中であればステップＳ９４を繰り返す。なお、
ステップＳ９４で停電となる危険性が解除されるか、又はステップＳ９５で停止中となればＵＰＳ５０に商用電源へ切り換えるよう指示し（Ｓ９６）、発電装置４０に停止を指示する（Ｓ９７）。ＵＰＳ５０は切換指示を受けると商用電源に切り換え、発電装置４０は停止指示を受けると発電を停止する。
【００７５】
このように第２の実施の形態では予報に基づいて発電を開始して発電機の稼働を安定させておき、停電が発生した時には即座に商用電源から発電装置４０に切り換えるので、ＵＰＳ５０が必要とするバッテリの容量は非常に小さい容量で済む。
【００７６】
上記説明では、発電装置４０は停電となる危険性が終わるまで発電を続けるが、蓄電部４２が１００％充電された時点で発電を停止し、停電が発生した時点で発電を再開し、出力が安定するまでの間蓄電部４２の電力で賄うような制御方法も考えられる。また、発電装置４０は蓄電部４２を実装しない構成としてもよい。この構成では第１の実施の形態のように、発電装置４０の出力が安定した時点でＵＰＳ５０により商用電源から発電装置４０に切り換えるように制御すれば発電した電力を無駄にせず有効に利用でき、小さいバッテリ容量を備えるだけで不測の瞬断やごく短い停電にも対応できる。
【００７７】
【発明の効果】
以上説明したように本発明によれば停電の発生を予測して発電を開始しておくことによりＵＰＳ等の蓄電機能を備えたバックアップ電源装置がなくても停電に対応できるという効果がある。また、小容量のバッテリのＵＰＳを組み込むだけで不測の瞬断から長時間の停電に対応できる。
【図面の簡単な説明】
【図１】本発明の第１の実施の形態の構成を示したブロック図である。
【図２】稼働情報部１２、稼働情報部３２に記憶されるコンピュータ２１の稼働情報の一例である。
【図３】稼働情報部１２、稼働情報部３２に記憶されるコンピュータ２１の運転スケジュール情報の一例である。
【図４】本発明の第１の実施の形態の動作のフローチャートである。
【図５】本発明の第２の実施の形態の構成を示したブロック図である。
【図６】本発明の第２の実施の形態の動作のフローチャートである。
【符号の説明】
１０    電力供給制御装置
１１    電力制御部
１２    稼働情報部
１４    発電装置
１５    切換装置
２１    コンピュータ
２２    情報提供システム
２９    インターネット
３０    電力供給制御装置
３１    電力制御部
３２    稼働情報部
４０    発電装置
４１    発電部
４２    蓄電部
４３    出力部
５０    ＵＰＳ
５１    切換部
５２    蓄電部
【図１】
2004355219.tif 000003
【図２】
2004355219.tif 000004
【図３】
2004355219.tif 000005
【図４】
2004355219.tif 000006
【図５】
2004355219.tif 000007
【図６】
2004355219.tif 000008